(57)【要約】【課題】コントラストの低い入力映像信号においても高いコントラスト表示を可能にし、その入力映像信号の色においても最適な強調を行うことができる映像表示装置を提供する。【解決手段】デジタル輝度信号の輝度レベル特徴量の情報に基づき、アナログまたはデジタル輝度信号に対し、輝度レベルを下げるブライトネス補正処理とコントラストゲインの増大処理を行い、かつデジタル色信号の指定された色域の画素をカウントする肌色度検出の情報に基づき、ブライトネス補正処理とコントラストゲインのＹＵＶ補正系−ＲＧＢ補正系との補正比率を適切に分配し、コントラストと色の改善を同時に行うことが可能な構成とする。【選択図】図１
2006042106.tif 000002
【特許請求の範囲】
【請求項１】
コントラストの低い入力映像信号においても高いコントラスト表示を可能にし、かつ色においても最適な強調を行うことができる映像表示装置であって、入力映像信号の輝度信号Ｙの特徴量を検出し、前記輝度信号Ｙの特徴量に応じて算出した入力信号を補正するコントラスト値とブライトネス値と、前記入力映像信号の色信号ＵＶの肌色度に応じて前記コントラスト値をＹコントラスト値とＲＧＢコントラスト値、及び前記ブライトネス値をＹブライトネス値とＲＧＢブライトネス値とに分配し、前記Ｙコントラスト値と前記Ｙブライトネス値を輝度信号Ｙに、前記ＲＧＢコントラスト値と前記ＲＧＢコントラスト値をＹ−ＲＧＢマトリクス変換後のＲＧＢ信号に補正することによって入力映像信号の信号制御を行う手段を備えたことを特徴とする映像信号処理装置。
【請求項２】
コントラストの低い入力映像信号においても高いコントラスト表示を可能にし、かつ色においても最適な強調を行うことができる映像表示装置であって、前記入力映像信号の輝度信号Ｙの特徴量を検出する手段と、前記輝度信号Ｙの特徴量に応じて前記入力映像信号のコントラスト値を算出する手段と、前記輝度信号Ｙの特徴量に応じて前記入力映像信号のブライトネス値を算出する手段と、前記入力映像信号の色信号ＵＶの肌色度を抽出する手段と、前記肌色度に応じて前記コントラスト値をＹコントラスト値とＲＧＢコントラスト値に分配計算する手段と、前記肌色度に応じて前記ブライトネス値をＹブライトネス値とＲＧＢブライトネス値に分配計算する手段と、前記Ｙコントラスト値に応じたゲインを前記輝度信号Ｙに乗じる乗算手段と、前記Ｙブライトネス値に応じたオフセットを前記輝度信号Ｙに加減する加算手段と、前記輝度信号Ｙと色信号ＵＶからＲＧＢ信号に変換するマトリクス変換手段と、前記ＲＧＢコントラスト値に応じたゲインを前記マトリクス変換後のＲＧＢ信号に乗じる乗算手段と、前記ＲＧＢブライトネス値に応じたオフセットを前記マトリクス変換後のＲＧＢ信号に加減する加算手段を備えたことを特徴とする映像信号処理装置。
【発明の詳細な説明】
【技術分野】
【０００１】
本発明は、映像機器（例えば液晶テレビ）において、入力映像信号処理に応じてゲインとオフセットを可変し、ダイナミックレンジを拡大し高いコントラスト表示を可能にし、かつ色においても最適な表示を行うことができる映像信号処理装置の改良に関するものである。
【背景技術】
【０００２】
従来の入力映像信号処理に応じてゲインとオフセットを可変し、ダイナミックレンジを拡大する映像信号処理装置として、特許文献１に開示されたものの類似構成を図２に示す。図２において、信号レベル検出回路２０２によって輝度信号の特徴量を検出し、前記輝度信号の特徴量に基づいてブライトネス制御値とコントラスト制御値をマイコン２０５において算出し、一箇所のブライトネス補正手段２０３とコントラスト補正手段２０４においてそれぞれ補正する。これにより、入力映像信号から抽出される輝度信号特徴量から算出されるコントラスト値、ブライトネス値に基づいて、入力映像信号の信号制御を行い最適なダイナミックレンジの拡大を行うことができる。
【特許文献１】特開２００４−０７８０７４号公報
【発明の開示】
【発明が解決しようとする課題】
【０００３】
一般的に、入力映像信号に応じてゲインとオフセットを変更し最適な映像を得る映像信号処理装置として、ゲインとオフセットを変化させる対象の映像信号は輝度信号ＹまたはＲＧＢ信号の一箇所である。輝度信号Ｙにゲインとオフセットをかけるシステムでは肌色などの白に近い色合いの変化が少ないのに対し、その他の色の色のりが悪くなり、一方、ＲＧＢ信号にゲインとオフセットをかけるシステムではＲＧＢ単色等の彩度の高い色あいが純色に近づき強調され鮮やかになる反面、白色に近い淡い色の色相が変化してしまう課題があった。
【０００４】
本発明は前記課題に鑑み、肌色等の白色に近い色の色相ずれをなくしかつ、その他の色の色のりを良くすることを両立する映像信号処理装置を提供するものである。
【課題を解決するための手段】
【０００５】
本発明の請求項１に記載の映像信号処理装置は、入力映像信号処理に応じてゲインとオフセットを可変し、ダイナミックレンジを拡大し高いコントラスト表示を可能にし、かつ色においても最適な表示を行可能な入力映像信号の肌色度によって輝度信号ＹとＲＧＢ信号に対するコントラストとブライトネスに分配を適切に制御することによってダイナミックレンジ拡大を行うとともに色においても最適な制御を行うことを特徴としたものである。
【０００６】
本発明の請求項２に記載の映像信号処理装置は、請求項１に記載した装置をより具体的な例で示したものである。
【発明の効果】
【０００７】
簡易な回路構成で、入力映像信号に適応した階調拡大制御をおこないつつ、白色に近い肌色の色相をずれを抑えつつＲＧＢ純色に近い色の色のりを改善することが可能な映像信号処理装置を提供する。
【発明を実施するための最良の形態】
【０００８】
以下に、本発明の一実施の形態について、図１を用いて説明する。
【０００９】
（実施の形態１）
図１は本発明の第１の実施例を示し、図１において１０１は輝度信号特徴検出部、１０２は肌色度数抽出部、１０３はコントラスト算出部、１０４はブライトネス算出部、１０５はＹ−ＲＧＢコントラスト補正分配部、１０６はＹ−ＲＧＢブライトネス補正分配部、１０７、１１０〜１１２は乗算器、１０８、１１３〜１１５は加算器、１０９はＹＵＶ―ＲＧＢマトリクス部である。
【００１０】
以下に具体的な動作を説明する。入力映像信号の輝度信号Ｙをもとに輝度信号特徴検出部１０１から輝度特徴量Ｙ＿ＦＴＲを検出する。輝度特徴量Ｙ＿ＦＴＲとは最大輝度レベル、平均輝度レベル、最小輝度レベルやヒストグラム度数のことである。また、入力映像信号の色信号ＵＶをもとに肌色度数抽出部１０２から肌色度Ｃ＿ＦＴＲを抽出する。肌色度Ｃ＿ＦＴＲとは色信号ＵＶのある特定の範囲に存在する色信号ＵＶの総数と全体の画素数の比率を示す。輝度特徴量Ｙ＿ＦＴＲは、コントラスト算出部１０３とブライトネス算出部１０４に入力され、それぞれ入力映像信号に対するコントラスト補正値ＣＮＴとブライトネス補正値ＢＲＴが算出される。
【００１１】
前記Ｃ＿ＦＴＲと前記ＣＮＴはＹ−ＲＧＢコントラスト補正分配部に入力され、前記Ｃ＿ＦＴＲと比例するＹコントラスト補正値Ｙ＿ＣＮＴと前記Ｃ＿ＦＴＲに反比例するＲＧＢコントラスト補正値ＲＧＢ＿ＣＮＴを算出する。同様に、前記Ｃ＿ＦＴＲと前記ＢＲＴはＹ−ＲＧＢブライトネス補正分配部に入力され、前記Ｃ＿ＦＴＲと比例するＹブライトネス補正値Ｙ＿ＢＲＴと前記Ｃ＿ＦＴＲに反比例するＲＧＢブライトネス補正値ＲＧＢ＿ＢＲＴを算出する。
【００１２】
Ｙ＿ＣＮＴは乗算器１０７に入力され輝度信号Ｙにゲインとして乗算される。前記Ｙ＿ＢＲＴは加算器１０８に入力され乗算器１０７の出力の輝度信号Ｙにオフセットとして加算される。加算器１０８の出力の輝度信号Ｙと入力映像信号の色信号ＵＶはＹＵＶ−ＲＧＢマトリクス部１０９に入力されＲＧＢ信号に変換される。一般的に入力ＹＵＶ信号のマトリックス演算Ｒ＝Ｙ＋１．４０２Ｖ、Ｇ＝Ｙ−０．３４４Ｕ−０．７１４Ｖ、Ｂ＝Ｙ＋１．７７２Ｕなどが知られていて、これに類する演算で求めることができる。
【００１３】
前記ＹＵＶ−ＲＧＢマトリクス部１０９の出力ＲＧＢ信号は前記ＲＧＢ＿ＣＮＴと乗算器１１０〜１１２に入力されそれぞれＲＧＢのゲインとして乗算される。前記ＲＧＢ＿ＢＲＴは加算器１１３〜１１５に入力されそれぞれ前記乗算器１１０〜１１２の出力ＲＧＢ信号のオフセットとして加算される。ＣＮＴ＝Ｙ＿ＣＮＴ×ＲＧＢ＿ＣＮＴ、ＢＲＴ＝Ｙ＿ＢＲＴ×Ｙ＿ＣＮＴ＋ＲＧＢ＿ＢＲＴの関係を守ることにより、前記コントラスト算出部で求められたコントラスト値と前記ブライトネス算出部で求められたブライトネス値に応じたダイナミックレンジの拡大を行うことができる。さらに、肌色度数が多い場合は輝度信号Ｙへの補正、逆に少ない場合はＲＧＢ信号への補正することで肌色とその他の色の色のりを両立し最適な表示を行うことができる。
【産業上の利用可能性】
【００１４】
本発明にかかる映像信号処理装置は、例えば液晶テレビ等の映像機器において有用である。
【図面の簡単な説明】
【００１５】
【図１】本発明の実施の形態１による映像信号処理装置の構成図
【図２】従来例の構成図
【符号の説明】
【００１６】
１０１    輝度信号特徴検出部
１０２    肌色度数抽出部
１０３    コントラスト算出部
１０４    ブライトネス算出部
１０５    Ｙ−ＲＧＢコントラスト補正分配部
１０６    Ｙ−ＲＧＢコントラスト補正分配部
１０７、１１０、１１１、１１２    乗算器
１０８、１１３、１１４、１１５    加算器
２０１    Ａ／Ｄ変換機
２０２    輝度レベル検出回路
２０３    ブライトネス補正手段
２０４    コントラスト補正手段
２０５    マイコン
【図１】
2006042106.tif 000003
【図２】
2006042106.tif 000004